(57)【要約】  本発明の課題は、光ネットワークにおいて回線障害が発生したときの復旧時間を短縮することである。トランスポンダ２１は、現用回線４１と予備回線４３を有し、トランスポンダ２２は現用回線４２と予備回線４４を有する。トランスポンダ２２の予備回線４４は、トランスポンダ２１の現用回線４１と同じ光回線に収容されている。受信側のトランスポンダ２４は、回線障害を検出したとき、トランスポンダ２３の現用回線４１に対するＶＤＣ設定値を取得し、そのＶＤＣ設定値に基づいて予備回線４４に対するＶＤＣ設定値を設定する。
2009081449.tif 000002
【特許請求の範囲】
【請求項１】
送信側の光伝送装置と受信側の光伝送装置が、現用回線と予備回線により接続されているネットワークに用いられる波長分割多重装置であって、
前記予備回線と同じ光回線に収容されている現用回線に対する分散補償情報を、他の光伝送装置から取得する取得手段と、
前記取得手段で取得した分散補償情報に基づいて前記予備回線を伝送される光信号の分散を補償する分散補償手段とを備える波長分割多重装置。
【請求項２】
前記取得手段は、障害が検出される前に、前記他の光伝送装置の記憶手段に記憶されている分散補償情報を取得する請求項１記載の波長分割多重装置。
【請求項３】
前記取得手段は、他の光伝送装置からネットワーク上に送出される分散補償情報を受信し、
前記分散補償手段は、前記取得手段で受信した前記分散補償情報に基づいて前記予備回線に対する分散補償を行う請求項１記載の波長分割多重装置。
【請求項４】
前記取得手段は、前記他の光伝送装置が受信している光信号の波長と自装置が受信する光信号の波長の差に応じて、前記他の光伝送装置から受信する前記分散補償情報を補正し、補正した値を前記予備回線に対する分散補償情報として算出する請求項１記載の波長分割多重装置。
【請求項５】
前記分散補償手段の分散補償情報をＯＳＣ（Optical Supervisor Channel）を用いてネットワーク上の他の光伝送装置に送信する出力手段を有する請求項１、２または３記載の波長分割多重装置。
【請求項６】
前記ネットワークは、送信側の第1の光伝送装置と受信側の第２の光伝送装置が、異なる光回線に収容された第1の現用回線と第1の予備回線で接続され、受信側の第3の光伝送装置の第２の現用回線が前記第１の予備回線と同じ光回線に収容されており、
前記取得手段は、前記第２の現用回線に対する分散補償情報を前記第３の光伝送装置から取得し、
前記分散補償手段は、前記取得手段で取得した分散補償情報に基づいて前記第1の予備回線を伝送される光信号の分散を補償する請求項１記載の波長分割多重装置。
【請求項７】
前記分散補償手段の分散補償情報を、主信号の信号フォーマットのオーバヘッドの空きバイトに挿入してネットワーク上の他の光伝送装置に送信する出力手段を有する請求項１、２または３記載の波長分割多重装置。
【請求項８】
前記分散補償手段における分散補償情報を記憶すると共に、記憶した分散補償情報を他の光伝送装置に出力する記憶手段を有し、
前記取得手段は、他の光伝送装置の記憶手段から自装置の予備回線と同じ光回線に収容されている現用回線に対する分散補償情報を取得する請求項１、２または３記載の波長分割多重装置。
【請求項９】
前記取得手段は、前記分散補償手段の分散補償値を設定すると共に、設定した分散補償値を他の光伝送装置に出力する設定手段を有し、
前記設定手段は、他の光伝送装置の設定手段から自装置の予備回線と同じ光回線に収容されている現用回線に対する分散補償値を取得し、取得した前記分散補償値に基づいて前記分散補償手段の分散補償値を設定する請求項１、２または３記載の波長分割多重装置。
【請求項１０】
受信する主信号の信号品質を検出する信号品質検出手段と、
前記信号品質検出手段で検出される信号品質に基づいて修正した分散補償情報を算出する算出手段と、
前記算出手段で算出された分散補償情報を記憶すると共に、記憶した分散補償情報を他の光伝送装置に出力する記憶手段を有し、
前記取得手段は、他の光伝送装置の記憶手段から自装置の予備回線と同じ光回線に収容されている現用回線に対する分散補償情報を取得し、取得した前記分散補償情報に基づいて前記分散補償手段の分散補償値を設定する請求項１、２または３記載の波長分割多重装置。
【請求項１１】
送信側の光伝送装置と受信側の光伝送装置が、現用回線と予備回線により接続されているネットワークの分散補償方法であって、
前記予備回線と同じ光回線に収容されている他の現用回線に対する分散補償情報を他の光伝送装置から取得し、
取得した分散補償情報に基づいて前記予備回線を伝送される光信号の分散を補償する光信号の分散補償方法。
【請求項１２】
障害が検出される前に、前記他の光伝送装置から分散補償情報を取得する請求項１１記載の光信号の分散補償方法。
【請求項１３】
前記他の光伝送装置からネットワーク上に送出される分散補償情報を受信し、受信した前記分散補償情報に基づいて予備回線に対する分散補償情報を設定する請求項１１記載の光信号の分散補償方法。
【請求項１４】
前記他の光伝送装置が受信している光信号の波長と自装置が受信する光信号の波長の差に応じて、前記他の光伝送装置から受信する前記分散補償情報を補正し、補正した値を前記予備回線に対する分散補償情報として算出する請求項１１記載の光信号の分散補償方法。
【請求項１５】
分散補償手段の分散補償情報をＯＳＣ（Optical Supervisor Channel）を用いてネットワーク上の他の光伝送装置に送信する請求項１１、１２または１３記載の光信号の分散補償方法。
【請求項１６】
分散補償手段の分散補償情報を、主信号の信号フォーマットのオーバヘッドの空きバイトに挿入してネットワーク上の他の光伝送装置に送信する請求項１１、１２または１３記載の光信号の分散補償方法。
【発明の詳細な説明】
【技術分野】
【０００１】
本発明は、波長分割多重装置及び光信号の分散補償方法に関する。
【背景技術】
【０００２】
近年、大容量化、小型、低コスト、周波数利用効率の高さなどの利点のために、次世代の４０Ｇｂｉｔ／ｓ光伝送システムの導入の要求が高まっている。
一般に、光ファイバや各ノードに配置される装置を構成する各種光部品は波長分散をもっているため、変調された信号光がこれらを通過する際に波長分散のために光波形のひずみが生じる。光波形のひずみは伝送品質（誤り率など）の劣化を引き起こすため、最大伝送距離などのシステム性能を制限する要因となっている。【０００３】
一般に、送受信器の分散による波形ひずみに対する耐力を表す指標として分散トレランスが用いられている。例えば、４０Ｇｂｉｔ／ｓ以上のビットレートにおける送受信機の分散トレランスは数１０ｐｓ／ｎｍ程度である。これは現在広く実用されている１０Ｇｂｉｔ／ｓ信号が１０００ｐｓ／ｎｍ程度の分散トレランスをもつことに比較して非常に小さい。このため、４０Ｇｂｉｔ／ｓ以上のビットレートの信号の伝送を実現するためには、受信機入力端に可変分散補償器（ＶＤＣ：Variable Dispersion Compensator）を配置するなどして高精度な分散制御を行う必要がある。【０００４】
一方、現在ではネットワークの高信頼性確保のため、光ファイバが切断された場合など障害発生時の高速なサービス復旧（通常５０ｍｓ以下）が求められている。
このような目的のため、ＯＵＰＳＲ（Optical Unidirectional Path Switched Ring）を代表とするプロテクション方式が導入されてきている。【０００５】
図２０は、ＯＵＰＳＲ方式の光ネットワークの構成の一例を示す図である。この光ネットワークは、波長分割多重装置２０１と、ＯＡＤＭ（Optical Add Drop Multiplexer）２０２と、波長分割多重装置２０３と、ＯＡＤＭ２０４が、リング状に接続されている。【０００６】
ルータ２１１から入力した信号は、トランスポンダ２１２、光スプリッタ２１３を経て現用回線２２１に出力され、ＯＡＤＭ２０２を経由して受信側の波長分割多重装置２０３に入力する。波長分割多重装置２０３は、１波光スイッチ２１４とトランスポンダ２１５を有し、トランスポンダ２１５で分散補償した光信号をルータ２１６に出力する。トランスポンダ２１２は、他のＯＡＤＭ２０４を経由する予備回線２２２を有している。【０００７】
この光ネットワークシステムにおいて、現用回線２２１に障害が発生すると、受信側のトランスポンダ２１５は、予備回線２２２に切り替えて信号を受信する。
例えば、４０Ｇｂｉｔ／ｓの通信では分散トレランスが小さいため、受信側のトランスポンダ２１５は、可変分散補償器（Variable Dispersion Compensator)の分散補償量を最適値に設定するための調整を行う必要があり、現状では障害発生から信号疎通までに数分間の時間を要している。【０００８】
特許文献１には、複数の光伝送ルートの最適分散補償量を予めメモリに記憶しておき、ルート変更検出手段により光り伝送ルートの変更が検出されると、メモリに記憶されている変更後のルートの最適分散補償量に応じて可変分散補償器の分散補償量を制御することが記載されている。
【特許文献１】日本、特開２００３−１７９５８０号公報
【発明の開示】
【０００９】
本発明の課題は、光ネットワークにおける回線障害の復旧時間を短縮することである。
波長分割多重装置の１つの態様は、送信側の光伝送装置と受信側の光伝送装置が、現用回線と予備回線により接続されているネットワークに用いられる波長分割多重装置であって、前記予備回線と同じ光回線に収容されている現用回線に対する分散補償情報を、他の光伝送装置から取得する取得手段と、前記取得手段で取得した分散補償情報に基づいて前記予備回線を伝送される光信号の分散を補償する分散補償手段とを備える。
【００１０】
この波長分割多重装置によれば回線障害の復旧時間を短縮できる。
上記の波長分割多重装置において、前記取得手段は、障害が検出される前に、前記他の光伝送装置の記憶手段に記憶されている分散補償情報を取得する。
【００１１】
このように構成することで、障害が発生する前に他の光伝送装置の現用回線に対する分散補償情報を取得しておくことができるので、障害の復旧時間をさらに短縮できる。
上記の波長分割多重装置において、前記取得手段は、他の光伝送装置からネットワーク上に送出される分散補償情報を受信し、前記分散補償手段は、前記取得手段で受信した前記分散補償情報に基づいて前記予備回線に対する分散補償を行う。
【００１２】
このように構成することで、ネットワーク上に送信される他の光伝送装置の分散補償情報を受信して予備回線の分散補償を行うことができる。
上記の波長分割多重装置において、前記取得手段は、前記他の光伝送装置が受信している光信号の波長と自装置が受信する光信号の波長の差に応じて、前記他の光伝送装置から受信する前記分散補償情報を補正し、補正した値を前記予備回線に対する分散補償情報として算出する。
【００１３】
このように構成することで、異なる波長の光信号に対する分散補償情報から、波長に応じた適切な分散補償情報を得ることができる。
上記の波長分割多重装置において、前記分散補償手段の分散補償情報をＯＳＣ（Optical Supervisor Channel）を用いてネットワーク上の他の光伝送装置に送信する出力手段を有する。
【００１４】
このように構成することで、ＯＳＣを利用して自装置の分散補償情報を他の光伝送装置に送信することができる。
上記の波長分割多重装置において、前記分散補償手段の分散補償情報を、主信号の信号フォーマットのオーバヘッドの空きバイトに挿入してネットワーク上の他の光伝送装置に送信する出力手段を有する。
【００１５】
このように構成することで、主信号の信号フォーマットを利用して自装置の分散補償情報を送信することができる。
上記の波長分割多重装置において、前記分散補償手段における分散補償情報を記憶すると共に、記憶した分散補償情報を他の光伝送装置に出力する記憶手段を有し、前記取得手段は、他の光伝送装置の記憶手段から自装置の予備回線と同じ光回線に収容されている現用回線に対する分散補償情報を取得する。
【００１６】
このように構成することで、他の光伝送装置の記憶手段から現用回線に対する分散補償情報を取得して自装置の分散補償情報を設定することができる。
上記の波長分割多重装置において、前記取得手段は、前記分散補償手段の分散補償値を設定すると共に、設定した分散補償値を他の光伝送装置に出力する設定手段を有し、前記設定手段は、他の光伝送装置の設定手段から自装置の予備回線と同じ光回線に収容されている現用回線に対する分散補償値を取得し、取得した前記分散補償値を前記分散補償手段に設定する。
【００１７】
このように構成することで、他の光伝送装置の設定手段から現用回線に対する分散補償値を取得し、その取得した値に基づいて短時間で自装置の分散補償手段に適正な分散補償値を設定することができる。
【００１８】
上記の波長分割多重装置において、受信する主信号の信号品質を検出する信号品質検出手段と、前記信号品質検出手段で検出される信号品質に基づいて修正した分散補償情報を算出する算出手段と、前記算出手段で算出された分散補償情報を記憶すると共に、記憶した分散補償情報を他の光伝送装置に出力する記憶手段を有し、前記取得手段は、他の光伝送装置の記憶手段から自装置の予備回線と同じ光回線に収容されている現用回線に対する分散補償情報を取得し、取得した前記分散補償情報に基づいて前記分散補償手段の分散補償値を設定する設定手段を有する。
【００１９】
このように構成することで、設定手段が、他の光伝送装置の記憶手段から現用回線に対する分散補償情報を取得し、その取得した値に基づいて短時間で自装置の分散補償手段に適切な分散補償値を設定することができる。
【図面の簡単な説明】
【００２０】
【図１】第１の実施の形態のネットワークの構成を示す図である。
【図２】第１の実施の形態の動作シーケンスを示す図である。
【図３】第２の実施の形態の動作シーケンスを示す図である。
【図４】第３の実施の形態のネットワーク構成を示す図である。
【図５】第４の実施の形態の波長分割多重装置の構成を示す図である。
【図６】第５の実施の形態の波長分割多重装置の構成を示す図である。
【図７】第６の実施の形態の波長分割多重装置の構成を示す図である。
【図８】第７の実施の形態のネットワークの構成を示す図である。
【図９】第７の実施の形態の波長分割多重装置の構成の一例を示す図である。
【図１０】第７の実施の形態の処理動作を示すフローチャート
【図１１】第７の実施の形態の他の処理動作を示すフローチャート
【図１２】第８の実施の形態のネットワーク構成を示す図である。
【図１３】第８の実施の形態の波長分割多重装置の構成の一例を示す図である。
【図１４】Digital Wrapperのデータフォーマットの一例を示す図である。
【図１５】ＳＯＮＥＴフレームの構成を示す図である。
【図１６】ＳＯＮＥＴのオーバヘッドの構成を示す図である。
【図１７】メッシュ構成のネットワークを示す図である。
【図１８】リニア構成のネットワークを示す図である。
【図１９】リニア構成の他のネットワークを示す図である。
【図２０】従来のネットワーク構成を示す図である。
【発明を実施するための最良の形態】
【００２１】
以下、本発明の好適な実施の形態を図面を参照して説明する。図１は、第１の実施の形態の光ネットワークの構成を示す図である。この光ネットワークは、４０Ｇbit／ｓの通信速度で信号を伝送する例である。【００２２】
図１は、４台のノードがリング状に接続されたＯＡＤＭ（Optical Add Drop Multiplex）  ＲＩＮＧのネットワーク構成を示している。
以下、説明を簡単にするために、波長分割多重装置（ＷＤＭ：Wavelength Division multiplex）が２台のトランスポンダを有する場合について説明する。波長分割多重装置（ＮＯＤＥ  Ａ）１１は、トランスポンダ（光伝送装置に対応する）２１，２２を有する。波長分割多重装置１３も２台のトランスポンダ２３、２４を有する。【００２３】
図１のネットワークは、トランスポンダ２１及び２２から出力された光信号が、それぞれ現用回線４１と予備回線４４に出力され、伝送路上にある波長分割多重装置１２をスルーで通過してトランスポンダ２３及び２４で受信され、トランスポンダ２１及び２２から出力された光信号が、それぞれ予備回線４３と現用回線４２に出力され、波長分割多重装置１４をスルーで通過してトランスポンダ２３及び２４で受信される場合の例である。【００２４】
トランスポンダ２１、２２は、それぞれルータ３１、３２から入力する信号をＷＤＭ用の波長の光信号に変換する。トランスポンダ２１から出力された光信号は、光スプリッタ２１ａによって現用回線４１と予備回線４３の２方向に分岐される。また、トランスポンダ２２から出力された光信号は、光スプリッタ２２ａによって現用回線４２と予備回線４４の２方向に分岐される。【００２５】
トランスポンダ２１は、波長分割多重装置（ＮＯＤＥ  Ｂ）１２をスルーで通過して波長分割多重装置（ＮＯＤＥ  Ｃ）１３のトランスポンダ２３に至る経路を現用回線４１として使用している。その現用回線４１が収容されている物理回線にトランスポンダ２２の予備回線４４が収容されている（図１に破線で示す予備回線４４）。【００２６】
トランスポンダ２２は、波長分割多重装置（ＮＯＤＥ  Ｄ）１４をスルーで通過して波長分割多重装置１３に至る経路を現用回線４２として使用している。その現用回線４２が収容されている物理回線にトランスポンダ２１の予備回線４３が収容されている。【００２７】
波長分割多重装置１３のトランスポンダ２３、２４は、現用または予備回線の一方を選択して光信号を出力する１波光スイッチ（以下、光スイッチと呼ぶ）５１、５２と、残留分散を補償するための可変分散補償器（ＶＤＣ：Variable Dispersion Compensator）５３、５４を有する。可変分散補償器５３、５４は、例えば、他のトランスポンダの分散補償情報（ＶＤＣ設定値など）を取得する機能と、残留分散を補償する機能（取得手段、分散補償手段に対応する）を有する。【００２８】
トランスポンダ２３は、光スイッチ５１により現用回線４１と予備回線４３の一方を選択し、可変分散補償器５３により光信号の分散を補償して、トランスポンダ２３内にて光―電気変換したのち、誤り訂正などを含む信号処理を行った後、再び、電気―光変換してルータ３３に出力する。同様に、トランスポンダ２４は、光スイッチ５２により現用回線４２と予備回線４４の一方を選択し、可変分散補償器５４により分散を補償した光信号を、同様に信号処理した後、ルータ３４に出力する。【００２９】
図２は、現用回線４１に障害が発生して予備回線４３に切り替える場合の第１の実施の形態の動作シーケンスを示す図である。
トランスポンダ２３の可変分散補償器５３は、通常は、現用回線４１の分散補償量を動的に最適値に設定している。【００３０】
トランスポンダ２３は、光信号断、フレーム同期はずれ、誤り率の劣化などにより現用回線４１の回線障害と判断すると、トランスポンダ２４に現用回線４２に対するＶＤＣ設定値（分散補償情報に対応する）を問い合わせる。【００３１】
トランスポンダ２４は、ＶＤＣ設定値の問い合わせを受け付けると、自己の可変分散補償器５４のＶＤＣ設定値を取得し、そのＶＤＣ設定値をトランスポンダ２３に送信する。
トランスポンダ２３は、受信したＶＤＣ設定値を自己の可変分散補償器５３に出力し、可変分散補償器５３は、受信したＶＤＣ設定値を予備回線４３のＶＤＣ設定値（分散補償量）として設定する。ＶＤＣ設定値の変更が終了したなら、光スイッチ５１は、使用する回線を現用回線４１から予備回線４３に切り替える。【００３２】
上記のようにトランスポンダ２４の現用回線４２と同じ光回線に収容されている予備回線４３に対するＶＤＣ設定値を、現用回線４２のＶＤＣ設定値に基づいて設定することで予備回線４３に対するＶＤＣ設定値の設定時間を短縮できる。【００３３】
なお、上記の例では、可変分散補償回路５３へのＶＤＣ設定値の設定が終了してから回線を切り替えているが、光スイッチ５１により予備回線に切り替えた後、ＶＤＣ設定値の変更を行っても良い。また、予備回線４３が収容されている光回線の一部を現用回線として使用しているトランスポンダ２４のＶＤＣ設定値を予め取得し、そのＶＤＣ設定値をメモリに記憶しておいても良い。【００３４】
上述した第１の実施の形態によれば、回線障害が発生して予備回線に切り替える場合に、信号が疎通するまでの時間を短縮できる。
一般に、光ファイバや各ノードに配置される分散補償器は波長特性を有している。図１のトランスポンダ２１から出力される光信号の波長と、トランスポンダ２２から出力される光信号の波長が異なる場合には、受信側のトランスポンダ２３及び２４における残留分散量も異なる値となる。【００３５】
トランスポンダ２４の現用回線４２に対するＶＤＣ設定値は、現用回線４２を伝送される光信号の波長における残留分散に対して設定されている。そのためトランスポンダ２３の予備回線４３に対するＶＤＣ設定値を、現用回線４２のＶＤＣ設定値と等しく設定すると、両者の光信号の波長が異なるためにＶＤＣ設定値が最適値とならない可能性がある。【００３６】
図３は、上記の問題を解決するための第２の実施の形態の動作シーケンスを示す図である。この第２の実施の形態は、信号の波長の違いを考慮してＶＤＣ設定値を修正するものである。【００３７】
トランスポンダ２３は、現用回線４１の障害を検出すると、送信側のトランスポンダ２２とノードＤ（波長分割多重装置１４）に対してファイバタイプ／ファイバ長、ＤＣＭ用品を問い合わせる。ＤＣＭ用品を特定することで可変分散補償器の波長特性に関するデータを得ることができる。【００３８】
問い合わせを受けたトランスポンダ２２とノードＤは、それぞれファイバタイプ／ファイバ長、ＤＣＭ（Dispersion Compensator Mpdule）用品に関する情報を送信する。
次に、トランスポンダ２３は、トランスポンダ２４にＶＤＣ設定値を問い合わせる。問い合わせを受けたトランスポンダ２４は、自己の可変分散補償器５４のＶＤＣ設定値をトランスポンダ２３に送信する。【００３９】
次に、トランスポンダ２３は、トランスポンダ２４に受信波長を問い合わせる。また、トランスポンダ２４は、送信側のトランスポンダ２２に送信波長を問い合わせる。問い合わせを受けた、送信側のトランスポンダ２２は、送信波長データを受信側のトランスポンダ２４に送信する。受信側のトランスポンダ２４は、送信側のトランスポンダ２４から受信した波長データを受信波長データとしてトランスポンダ２３に送信する。【００４０】
受信側のトランスポンダ２３の可変分散補償器５３は、トランスポンダ２４から受信したＶＤＣ設定値と受信波長データに基づいてＶＤＣ設定値を波長に合わせて修正する。そして、光スイッチ５３が現用回線４１から予備回線４３に切り替えた後、さらにＶＤＣ設定値の調整を行う。【００４１】
ここで、ファイバタイプ／ファイバ長、伝送経路上のノードの可変分散補償器の波長特性に基づいて残留分散を補正する方法について説明する。
送信側のトランスポンダ２１の出力光の波長をλ１、トランスポンダ２２の出力光の波長をλ２とし、波長λに対するトランスポンダの入力端における残留分散をＲＤとすると、ＶＤＣ設定値の補正は、以下の式で行うことができる。【００４２】
ＶＤＣ（λ１）＝ＶＤＣ（λ２）＋［ＲＤ（λ２）−ＲＤ（λ１）]      （１）
残留分散ＲＤ（λ）は、波長λに対するトランスポンダ入力端における残留分散を示し、伝送路ファイバ分散Ｄfiberと、分散補償器（分散補償ファイバ）の分散Ｄdcmから以下の式により求めることができる。【００４３】
ＲＤ（λ）＝［Ｄfiber1（λ）＋Ｄfiber2（λ）・・・＋Ｄfibern］
＋［Ｄdcm1（λ）＋Ｄdcm2（λ）・・・・＋Ｄdcmn（λ）］    （２）
ＤfiberとＤdcmは、波長λに対して次式から計算できる。【００４４】
Ｄfibern（λ）＝［ａ０＋ａ１×（λ−λref）］×FiberLengthn
Ｄdcmn（λ）＝［ｂ０＋ｂ１×（λ−λref）］×DcfLengthn
ａ０、ａ１は、それぞれ伝送路ファイバの分散係数（ps/nm/km）と分散スロープ（２次分散）係数（ps/nm2/km)を表す。【００４５】
ｂ０、ｂ１は、それぞれ分散補償器（分散補償ファイバ）の分散係数（ps/nm/km）と分散スロープ（２次分散）係数（ps/nm2/km)を表す。λrefは、分散係数を規定する規定波長（例えば、１５５０ｎｍ）を表す。【００４６】
上記の式から波長λ１の光信号に対する予備回線のＶＤＣ設定値を求めることができる。
次に、図４は、第３の実施の形態のネットワーク構成を示す図である。この第３の実施の形態は、異なる波長の信号が伝送される複数の現用回線に対するＶＤＣ設定値から、同じ回線内にある他の波長の信号が伝送される予備回線のＶＤＣ設定値を求めるものである。以下、図１と同じ要素には同じ符号を付けてそれらの説明は省略する。【００４７】
図４に示す波長分割多重装置１５は、３台のトランスポンダ２１、２２、２５を有する。トランスポンダ２１、２２、２５は、ルータ３１、３２、３５から出力される信号を、それぞれＶＤＭ用の所定の波長λ１、λ２、λ３の信号に変換する。これらの光信号は、光スプリッタ２１ａ、２２ａ、２５ａでそれぞれ２方向に分岐される。光スプリッタ２１ａで分岐された波長λ１の信号は現用回線４１と予備回線４３に送出され、光スプリッタ２２ａで分岐された波長λ２の信号は現用回線４２と予備回線４４に送出され、光スプリッタ２５ａで分岐された波長λ３の信号は現用回線４５と予備回線４６に送出される。【００４８】
受信側の波長分割多重装置１６は、３台のトランスポンダ２３、２４、２６を有する。トランスポンダ２６は、現用回線４５と予備回線４６の一方を選択する光スイッチ５５と、光信号の分散を補償する可変分散補償器（ＶＤＣ）５６を有し、分散を補償した信号をルータ３６に出力する。【００４９】
トランスポンダ２４の可変分散補償器５４における波長λ２の信号に対するＶＤＣ設定値をＶＤＣ（λ２）、トランスポンダ２６の可変分散補償器５６における波長λ３の信号に対するＶＤＣ設定値をＶＤＣ（λ３）とすると、波長λ１に対するＶＤＣ設定値ＶＤＣ（λ１）は、以下の式から求めることができる。【００５０】
ＶＤＣ（λ１）＝ＶＤＣ（λ２）＋｛ＶＤＣ（λ２）−ＶＤＣ（λ３）｝×（λ１−λ２）／（λ２−λ３）
波長λ２の光信号が伝送される現用回線４２に対するＶＤＣ設定値ＶＤＣ（λ２）と、波長λ３の光信号が伝送される現用回線４５に対するＶＤＣ設定値ＶＤＣ（λ３）の差分と、波長λ２と波長λ３の差分の比を算出し、その値に波長λ１と波長λ２の差分を乗算することで、波長λ１の光信号が伝送される予備回線４３に対するＶＤＣ設定値を算出することができる。【００５１】
上述した第３の実施の形態によれば、波長の異なる信号が伝送される伝送路に対するＶＤＣ設定値を取得し、取得したそれらのＶＤＣ設定値から、波長の異なる光信号が伝送される予備回線に対する好適なＶＤＣ設定値を算出することができる。これにより、光信号の波長の違いによるＶＤＣ設定値の誤差を少なくし、より短時間でＶＤＣ設定値の調整を終了することができる。【００５２】
次に、図５は、第４の実施の形態の波長分割多重装置１３の構成を示す図である。図５の予備回線４３は、現用回線４２と同じ光回線に収容されており、予備回線４４は、現用回線４１と同じ光回線に収容されている。以下の説明では、図１と同じ要素には同じ符号を付けてそれらの説明を省略する。【００５３】
この第４の実施の形態は、トランスポンダ２３のＶＤＣ設定回路６１が、他のトランスポンダ２４のＶＤＣ設定回路７１からＶＤＣ設定値（分散補償情報）を取得し、そのＶＤＣ設定値に基づいて予備回線４４のＶＤＣ設定値を決めるものである。【００５４】
ＶＤＣ設定回路６１は、トランスポンダ２４のＶＤＣ設定回路７１のＶＤＣ設定値を取得し、取得した値を自装置の可変分散補償回路６３のＶＤＣ設定値として設定する。
１波長光スイッチ６２（図１の光スイッチ５１に該当する）は、現用回線（Ｗｏｒｋ  Ｐａｔｈ）４１と予備回線（Ｐｒｏｔｅｃｔｉｏｎ  Ｐａｔｈ）４４の一方を選択して可変分散補償回路（ＶＤＣ）６３に出力する。可変分散補償回路６３（図１のＶＤＣ５３に該当する）は、ＶＤＣ設定回路６１から出力されるＶＤＣ設定値に基づいて光信号の分散を補償する。【００５５】
光・電気変換回路６４は、光信号を電気信号に変換し、エラー／障害検出回路６５は、光信号の断、誤り率の劣化等から光信号のエラーや回線の障害を検出する。
信号処理部６６は、受信した信号のフレームフォーマットをクライアント側の信号のフレームフォーマットに変換する。電気・光変換回路６７は、電気信号を光信号に変換して出力する。【００５６】
光スイッチ状態管理部６８は、１波長光スイッチ６２の状態を監視する回路であり、１波長光スイッチ６２が現用回線４１と予備回線４４の何れを選択しているかを示す情報を出力する。【００５７】
ＶＤＣ設定値算出回路６９は、伝送路の物理的条件により定まる残留分散値からＶＤＣ設定値を算出すると共に、エラー／障害検出回路６５から出力される信号品質を示すデータに基づいて主信号の品質が最良となるＶＤＣ設定値に調整し、調整した値をＶＤＣ設定回路６１に出力する。【００５８】
トランスポンダ２４は、ＶＤＣ設定回路７１、１波長光スイッチ７２、可変分散補償回路７３、光・電気変換回路７４、エラー／障害検出回路７５、信号処理部７６、光スイッチ状態管理部７８、ＶＤＣ設定値算出回路７９を有する。これらの回路の機能は、トランスポンダ２３の各回路と同じである。【００５９】
トランスポンダ２３のエラー／障害検出回路６５において現用回線４１の障害が検出されると、ＶＤＣ設定回路６１は、トランスポンダ２４のＶＤＣ設定回路７１から現用回線４２に対するＶＤＣ設定値を取得し、取得したＶＤＣ設定値を可変分散補償回路６３に出力する。可変分散補償回路６３は、そのＶＤＣ設定値に基づいて主信号の分散補償を行う。その後、ＶＤＣ設定値算出回路６９が、エラー／障害検出回路６５で検出される信号の品質を示すデータ、例えば、主信号のフレーム同期はずれの頻度、誤り率等を示すデータを参照して同期はずれの頻度、誤り率が最小となるようにＶＤＣ設定値を微調整し、微調整した値をＶＤＣ設定回路６１に出力する。ＶＤＣ設定回路６１は修正されたＶＤＣ設定値を可変分散補償回路６３に出力して分散補償を行わせる。このような動作を繰り返すことで予備回線４４に対する最適な分散補償値を決めることができる。【００６０】
第４の実施の形態によれば、例えば、現用回線４１に障害が発生した場合に、他のトランスポンダ２４のＶＤＣ設定回路７１から現用回線４２に対するＶＤＣ設定値を取得し、取得したＶＤＣ設定値に基づいて現用回線４２と同じ物理回線に収容されている予備回線４４のＶＤＣ設定値を設定することができる。従って、短時間で最適なＶＤＣ設定値を得ることができるので、回線障害が検出されて予備回線に切り替える場合の障害の復旧時間を短縮できる。【００６１】
次に、図６は、第５の実施の形態の波長分割多重装置１３の構成を示す図である。この第５の実施の形態は、他のトランスポンダ２４のＶＤＣ設定値記憶回路８２に記憶されているＶＤＣ設定値をＶＤＣ設定回路６１が取得し、取得した値に基づいて予備回線４４のＶＤＣ設定値を設定するものである。【００６２】
図６のトランスポンダ２３の予備回線４４は、トランスポンダ２４の現用回線４２と同じ物理回線（光回線）に収容されている。以下、図５と同じ回路ブロックには同じ符号を付けてそれらの説明は省略する。【００６３】
図６において、トランスポンダ２３のＶＤＣ設定値記憶回路８１は、ＶＤＣ設定値算出回路６９で算出されたＶＤＣ設定値を記憶する。このＶＤＣ設定値記憶回路８１に記憶されたＶＤＣ設定値は、自装置のＶＤＣ設定回路６１に出力されると共に、他のトランスポンダ２４のＶＤＣ設定回路７１に出力される。【００６４】
トランスポンダ２４も同様に、ＶＤＣ設定値算出回路７９で算出されたＶＤＣ設定値を記憶するＶＤＣ設定値記憶回路８２を有する。このＶＤＣ設定値記憶回路８２に記憶されたＶＤＣ設定値は、自装置のＶＤＣ設定回路７１と、他のトランスポンダ２３のＶＤＣ設定回路６１に出力されている。【００６５】
トランスポンダ２３のＶＤＣ設定回路６１は、回線が正常なときは、自装置のＶＤＣ設定値記憶回路８１に記憶されているＶＤＣ設定値を取得し、取得したＶＤＣ設定値を可変分散補償回路６３に出力する。【００６６】
他方、エラー／障害検出回路６５において現用回線４１の障害が検出されたとき、あるいは障害が検出される前に、ＶＤＣ設定回路６１は、他のトランスポンダ２４のＶＤＣ設定値記憶回路８２に記憶されているＶＤＣ設定値を取得し、その取得したＶＤＣ設定値を可変分散補償回路６３に出力する。【００６７】
回線障害が検出されると、１波長光スイッチ６２は、回線を予備回線４４に切り替える。ＶＤＣ設定値算出回路６９は、エラー／障害検出回路６５で検出される主信号の誤り率等が改善されるようにＶＤＣ設定値を調整し、調整後のＶＤＣ設定値をＶＤＣ設定値記憶回路８１に出力する。ＶＤＣ設定回路６１は、ＶＤＣ設定値記憶回路８１に新たに書き込まれたＶＤＣ設定値を可変分散補償回路６３に出力する。可変分散補償回路６３は、そのＶＤＣ設定値に基づいて主信号の分散補償を行う。分散補償を行った後の主信号は、エラー／障害検出回路６５において、主信号の誤り率等が算出され、その結果に基づいてさらにＶＤＣ設定値の調整が行われる。【００６８】
上記の第５の実施の形態によれば、トランスポンダ２３は、他のトランスポンダ２４のＶＤＣ設定値記憶回路８２から、予備回線４４と同じ物理回線に収容されている現用回線４２に対するＶＤＣ設定値を予め（または障害発生時に）取得することができる。従って、回線障害が検出されたときに、予備回線４４における光信号の分散を補償するための最適なＶＤＣ設定値を迅速に可変分散補償回路６３に出力することができる。これにより、回線障害の復旧時間を短縮できる。【００６９】
次に、図７は、第６の実施の形態の波長分割多重装置１３の構成を示す図である。この第６の実施の形態は、ＶＤＣ設定値記憶回路８１が、他のトランスポンダ２４のＶＤＣ設定値記憶回路８２のＶＤＣ設定値を取得し、取得したＶＤＣ設定値をＶＤＣ設定回路６１に出力するものである。【００７０】
図７のトランスポンダ２３の予備回線４３は、トランスポンダ２４の現用回線４２と同じ物理回線に収容されている。以下、図５と同じ回路ブロックには同じ符号を付けてそれらの説明は省略する。【００７１】
図７のトランスポンダ２３のＶＤＣ設定値記憶回路８１は、現用回線４１の信号疎通後に更新されたＶＤＣ設定値を記憶する。同様に、トランスポンダ２４のＶＤＣ設定値記憶回路８２は、現用回線４２の信号疎通後のＶＤＣ設定値を記憶する。【００７２】
トランスポンダ２３のＶＤＣ設定値記憶回路８１は、通常運用時に、トランスポンダ２４のＶＤＣ設定値記憶回路８２と直接または他の回路を介して通信して、ＶＤＣ設定値記憶回路８２に記憶されている現用回線４２に対するＶＤＣ設定値を取得して記憶する。【００７３】
ＶＤＣ設定回路６１は、ＶＤＣ設定値記憶回路８１に記憶されているＶＤＣ設定値を読み出し、そのＶＤＣ設定値を可変分散補償回路６３に出力する。可変分散補償回路６３は、そのＶＤＣ設定値に基づいて主信号の分散補償を行う。【００７４】
上記の第６の実施の形態によれば、トランスポンダ２３のＶＤＣ設定値記憶回路８１は、他のトランスポンダ２４のＶＤＣ設定値記憶回路８２に記憶されている現用回線４２に対するＶＤＣ設定値を予め（または障害発生時に）取得し、そのＶＤＣ設定値に基づいて予備回線４４のＶＤＣ設定値を設定することができる。これにより、回線障害が発生したときの復旧時間を短縮できる。この第６の実施の形態では、トランスポンダ２３のＶＤＣ設定値記憶回路８１が、他のトランスポンダ２４のＶＤＣ設定値記憶回路８２と直接（または通信インターフェイスを介して）データを送受信することができるので、障害が発生する前に予備回線４４に対する好適なＶＤＣ設定値を予め取得しておくことができる。これによりさらに障害の復旧時間を短縮できる。【００７５】
上記の第４〜第６の実施の形態において、ＶＤＣ設定回路６１、ＶＤＣ設定値記憶回路８１等は、ＶＤＣ設定値そのものではなく、ＶＤＣ設定値を算出するための情報（分散補償情報）を取得または記憶するようにしても良い。【００７６】
次に、ネットワーク上の各トランスポンダのＶＤＣ設定値を、伝送路上の他のトランスポンダに転送する方法について説明する。
図８は、第７の実施の形態のネットワーク構成を示す図である。この第７の実施の形態は、主信号が伝送される回線とは別の回線（監視用情報の送信に用いられるＯＳＣ（Optical Supervisor Channel））を用いて分散補償を行うための情報を転送するものである。以下、図１と同じ要素には同じ符号を付けてそれらの説明は省略する。【００７７】
波長分割多重装置は、ネットワーク全体の保守・管理を容易にするためにControl Planeと呼ばれる機能を備えているものがある。Control Plane機能は、ＯＳＣと呼ばれる主信号とは別の独立した制御・監視用チャネルを用いてトランスポンダの制御・監視を行う。この第７の実施の形態においては、このControl Plane機能を用いて、トランスポンダのＶＤＣ設定値、光スイッチの向き、光信号の波長、ファイバタイプ、ファイバ長さ（スパン長）（これらの情報をまとめて分散情報と呼ぶ）とノードＩＤ（波長分割多重装置のＩＤ）を、ネットワーク内の全波長分割多重装置に送信する。【００７８】
各波長分割多重装置１１〜１４はＯＳＣ部９１〜９４を有する。ＯＳＣ部９１〜９４は、トランスポンダのＶＤＣ設定値、光スイッチの向き、波長情報、ファイバタイプ、ファイバ長（伝送路の距離）等の一部または全部からなる分散情報をノードＩＤと共にＯＳＣに送出する。同時に、他の装置から転送される分散情報を取得して、取得した分散情報をトランスポンダの記憶回路等に格納する。あるいは、他のトランスポンダの分散情報から自装置の予備回線に対する最適なＶＤＣ設定値を予め算出して記憶回路に記憶しておく。【００７９】
この第７の実施の形態によれば、ＯＳＣを用いて各トランスポンダのＶＤＣ設定値（またはＶＤＣ設定値を算出するための情報）等をネットワーク内の全装置に送信することができるので、回線障害を検出したトランスポンダは、ＯＳＣを介して取得した分散情報に基づいて自装置の予備回線に対する最適なＶＤＣ設定値を短時間で設定することができる。また、各トランスポンダは、ＯＳＣを介して取得した分散情報から予備回線に対するＶＤＣ設定値を予め算出しておくことができるので、現用回線から予備回線に切り替えるときの復旧時間をより短縮できる。【００８０】
図９は、上述した第７の実施の形態の波長分割多重装置の構成の一例を示す図である。図９の波長分割多重装置は、図１の伝送路の途中にあるノードＢの波長分割多重装置１２に該当する。図１は、ノードＢを主信号がスルーで通過する場合の例であるが、図９は、ノードＡから送信される主信号がノードＢのトランスポンダ１０３で受信されて図示しないルータまたは回線に出力され、別のトランスポンダ１０６で受信された主信号がノードＣ（波長分割多重装置１３）に出力される場合を示している。【００８１】
波長分割多重装置１２は、波長分割多重装置１１（ノードＡ）からの光信号を増幅する光増幅器１０１と、増幅された光信号を分波するデマルチプレクサ１０２と、光信号の分散を補償するトランスポンダ１０３と、トランスポンダ１０３のＶＤＣ設定値を収集するＣＰＵ１０４と、ＣＰＵ１０４から出力されるＶＤＣ設定値等の分散情報を所定のデータフォーマットに変換してＯＳＣに送出するＯＳＣ部１０５を有する。【００８２】
波長分割多重装置１２は、その他に、図示しないルータまたは他の回線から入力する光信号を受信して分散を補償するトランスポンダ１０６と、トランスポンダ１０６の出力信号を多重するマルチプレクサ１０７と、マルチプレクサ１０７の出力を増幅する光増幅器１０８を有する。トランスポンダ１０３、１０６は、例えば、図５、図６または図７に示す構成を有する。【００８３】
ここで、図９のＣＰＵ１０４における処理動作を、図１０のフローチャートを参照して説明する。
トランスポンダ１０３は、ＶＤＣ設定値をＣＰＵ１０４に通知する（図１０、Ｓ１１）。ＣＰＵ１０４は、受信したＶＤＣ設定値をＯＳＣ部１０５に出力する（Ｓ１２）。ＯＳＣ部１０５は、ＶＤＣ設定値を所定の信号フォーマット（例えば、ＳＯＮＥＴのＯＣ−３）の空きバイトに設定する（Ｓ１３）。【００８４】
次に、ＯＳＣ部１０５は、所定の信号フォーマットのデータを電気／光変換し、変換した光信号を下流の波長分割多重装置に送信する（Ｓ１４）。
上記の処理により、例えば、ＯＳＣ部９３は、ＯＳＣ部９１，９４から転送されてくるＶＤＣ設定値、信号波長、ファイバ長などの分散情報を取得し、取得した分散情報に基づいて該当する経路、例えば、トランスポンダ２２とトランスポンダ２４とを結ぶ現用回線４２に対するＶＤＣ設定値を求めることができる。そして、その現用回線４２のＶＤＣ設定値を用いて予備回線４３に対する好適なＶＤＣ設定値を設定することができる。これにより、回線障害が発生して予備回線に切り替える場合に、予備回線のＶＤＣ設定値を最適値に設定するまでの時間を短縮できる。【００８５】
図１１は、トランスポンダ１０３がＶＤＣ設定値を直接ＯＳＣ部１０５に通知する場合の処理動作を示すフローチャートである。
トランスポンダ１０３が、ＯＳＣ部１０５にＶＤＣ設定値を通知する（図１１、Ｓ２１）。ＯＳＣ部１０５は、ＶＤＣ設定値を所定の信号フォーマット（例えば、ＳＯＮＥＴのＯＣ−３）のデータの空きバイトにセットする（Ｓ２２）。【００８６】
次に、ＯＳＣ部１０５は、所定の信号フォーマットのデータを電気／光変換し、ＯＳＣを利用して下流のノードにＶＤＣ設定値（またはその他の情報）を送信する（Ｓ２３）。
上記の処理により、受信側のトランスポンダは、伝送経路上の各トランスポンダにおける現用回線に対するＶＤＣ設定値等を取得することができるので、その現用回線と同じ物理回線に収容されている予備回線に対するＶＤＣ設定値の最適値を短時間で得ることができる。これにより、回線障害時の復旧時間を短縮できる。【００８７】
上述した第７の実施の形態によれば、各トランスポンダが自装置の分散情報をＯＳＣを利用して他のトランスポンダに送信することができる。そして、各トランスポンダは、受信した分散情報を自装置の記憶回路に記憶し、自装置の予備回線に対するＶＤＣ設定値を予め算出して記憶しておくことができる。これにより、回線障害が発生したときに、可変分散補償回路は、短時間で予備回線の最適な分散補償値を決めることができ、回線障害の覆旧時間を短縮することができる。【００８８】
次に、図１２は、第８の実施の形態のネットワークの構成を示す図である。この第８の実施の形態は、各トランスポンダが、Digital Wrapper、ＳＯＮＥＴ（Synchronous Optical Network） ＤＣＣ（Data Communication Channel）等により分散情報を送信するものである。【００８９】
波長分割多重装置は、長距離伝送を可能にするDigital Wrapperと呼ばれる技術を使用しているものがある。Digital Wrapperとは、データの前後をチャネルヘッダと順方向エラー訂正ＦＥＣのデータでラップしたフレームフォーマットを指す。第８の実施の形態は、Digital Wrapper、あるいはＳＯＮＥＴ ＤＣＣのOverheadの空きバイトを使用して分散情報を送信する。【００９０】
以下、Digital Wrapperを用いて分散情報を送信する場合について、図１２を参照して説明する。以下の説明では、図１と同じ要素には同じ符号を付けてそれらの説明は省略する。【００９１】
波長分割多重装置１２は、トランスポンダ１１１と１１２を有する。Digital Wrapperは各トランスポンダにおいて生成及び終端される。
トランスポンダ１１１は、トランスポンダ２１との間の現用回線４１のパスａ１に対するＶＤＣ設定値、光スイッチの向き、波長情報、ファイバタイプ、ファイバ長の一部または全部からなる分散情報とノードＩＤを、Digital Wrapperのオーバヘッドの空きバイトに挿入して他のトランスポンダに送信する。【００９２】
トランスポンダ２３は、トランスポンダ１１２との間の現用回線４１のパスｂ１に対するＶＤＣ設定値、光スイッチの向き、波長情報、ファイバタイプ、ファイバ長の一部または全部からなる分散情報とノードＩＤを、Digital Wrapperのオーバヘッドの空きバイトに挿入して他のトランスポンダに送信する。【００９３】
トランスポンダ２４は、トランスポンダ１１１から送信されてくるパスａ１のＶＤＣ設定値と、トランスポンダ２３から送信されてくるパスｂ１のＶＤＣ設定値に基づいて、同じ物理回線に収容されている予備回線４４のパスｃ１に対するＶＤＣ設定値を算出することができる。【００９４】
上述した第８の実施の形態によれば、各トランスポンダのＶＤＣ設定値をDigital Wrapperを利用してネットワーク上に送出することで、各トランスポンダは自装置の上流（送信側）のトランスポンダのＶＤＣ設定値を取得することができる。従って、回線障害が発生する前、あるいは発生した後に、可変分散報償回路に予備回線に対する適正なＶＤＣ設定値を設定することができる。これにより、回線障害の復旧時間を短縮できる。【００９５】
図１３は、上述した第８の実施の形態の波長分割多重装置１２の構成の一例を示す図である。図１３の波長分割多重装置は、図１の伝送路の途中にある波長分割装置１２（ノードＢ）に該当する。図１は、主信号がノードＢをスルーで通過する場合の例であるが、図１３は、ノードＡから送信されてくる主信号がノードＢのトランスポンダ１２３で受信され、図示しないルータまたは他の回線からトランスポンダ１２５に入力する主信号が、ノードＣ（波長分割多重装置１３）に出力される場合を示している。【００９６】
波長分割多重装置１２は、波長分割多重装置１１（ノードＡ）からの光信号を増幅する光増幅器１２１と、増幅された光信号を分波するデマルチプレクサ１２２と、分散補償、光／電気変換等を行うトランスポンダ１２３と、トランスポンダ１２３のＶＤＣ設定値を収集してトランスポンダ１２５に出力するＣＰＵ１２４と、トランスポンダ１２５と、光信号を多重するマルチプレクサ１２６と、マルチプレクサ１２６の出力光を増幅し、ノードＣ（光波長多重装置１３）に接続する伝送路に送出する光増幅器１２７を有する。トランスポンダ１２３、１２５は、例えば、図５、図６または図７に示す構成を有する。【００９７】
ＣＰＵ１２４は、トランスポンダ１２３の現用回線４１に対するＶＤＣ設定値を取得すると、そのＶＤＣ設定値をトランスポンダ１２５に出力する。トランスポンダ１２５は、ＶＤＣ設定値等をDigital Wrapper、ＳＯＮＥＴ ＤＣＣ等の既知の信号フォーマットの空きバイトに挿入して伝送路に送出する。【００９８】
上述した第８の実施の形態によれば、各トランスポンダのＶＤＣ設定値等を既知の信号フォーマットの空きバイトを利用して送信し、各トランスポンダがその情報を受信し、記憶しておくことで、回線障害が発生する前に、可変分散補償回路に予備回線に対する適正なＶＤＣ設定値を設定することができる。これにより、回線障害の覆旧時間を短縮することができる。【００９９】
次に、上述した第７及び第８の実施の形態において、分散情報を挿入するＯＳＣ、Digital Wrapper、ＳＯＮＥＴ ＤＣＣの信号フォーマットについて簡単に説明する。
図１４は、ＩＴＵ−Ｔ、Ｇ７０９で規定されるDigital Wrapperのフレームフォーマットを示す図である。【０１００】
図１４に示すようにDigital Wrapperのフレームフォーマットは、オーバヘッドとエラー訂正コードＦＥＣ（Forward Error Correction）でデータをラップした構成を有する。第８の実施の形態で、Digital Wrapperを用いて分散情報を送信する場合には、図１４のＯＤＵｋ（Optical Channel Data Unit）ＯＨ（overhead）１３１の中で、現在使用されていないＲＥＳ(Reserved for future international Standardization）１３２に各トランスポンダのＶＤＣ設定値、波長情報等を挿入して送信する。【０１０１】
第７の実施の形態でＯＳＣを利用して分散情報を送信する場合には、例えば、図１５に示すＳＯＮＥＴフレームのペイロードにトランスポンダのＶＤＣ設定値、信号の波長情報等を挿入して制御用チャネルで送信する。【０１０２】
また、ＳＯＮＥＴ ＤＣＣを利用して分散情報を送信する場合には、図１６に×印で示すトランスポートオーバヘッド１５１の未定義バイト１５１ａに、ＶＤＣ設定値、信号の波長情報等を挿入して送信する。【０１０３】
なお、各トランスポンダが所定の信号フォーマットで送信する情報は、ＶＤＣ設定値そのものに限らず、受信側でＶＤＣ設定値が算出できるような情報でも良い。
次に、図１７〜図１９は、リングネットワーク以外の他のネットワーク形態を示す図である。以下の説明では、図１及びその他の図と同じ要素には同じ符号を付けてそれらの説明は省略する。【０１０４】
図１７は、メッシュ構成のネットワークの例を示している。このメッシュ構成のネットワークに対しても上述した実施の形態と同じ方法で予備回線の最適な分散補償値を設定することができる。【０１０５】
図１７のメッシュ構成のネットワークは、図１の各ノードに加え、波長分割多重装置１５（ノードＥ）を有し、波長分割多重装置１５はトランスポンダ１１３、１１４を有する。【０１０６】
トランスポンダ２２の予備回線４７は、波長分割多重装置１２、１５を通過し、波長分割多重装置１３のトランスポンダ２４に入力している。他方、トランスポンダ２１の現用回線４１のパスａ１は波長分割多重装置１２のトランスポンダ１１１に入力し、トランスポンダ１１２の現用回線４８のパスｂ１は波長分割多重装置１５のトランスポンダ１１３に入力している。さらに、波長分割多重装置１５（ノードＥ）の現用回線４９のパスｃ１は、波長分割多重装置１３のトランスポンダ２３に入力している。【０１０７】
従って、トランスポンダ１１１におけるパスａ１に対するＶＤＣ設定値（トランスポンダ１２における残留分散も含む）と、トランスポンダ１１３におけるパスｂ１に対するＶＤＣ設定値と、トランスポンダ２３におけるパスｃ１に対するＶＤＣ設定値が得られれば、それらのパスと同じ物理回線に存在する予備回線４７のパスｄ１に対する適正な分散補償値を算出することができる。【０１０８】
例えば、波長分割多重装置１２が、トランスポンダ１１１のパスａ１に対するＶＤＣ設定値（または分散補償値）を所定のデータフォーマットの空きバイトに挿入して各波長分割多重装置に送信する。同様、波長分割多重装置１５が、トランスポンダ１１３のパスｂ１に対するＶＤＣ設定値を所定のデータフォーマットの空きバイトに挿入してネットワーク上に送出する。トランスポンダ２３は、パスｃ１に対するＶＤＣ設定値をトランスポンダ２４直接または所定のデータフォーマットの空きバイトに挿入して出力する。トランスポンダ２４は、パスａ１のＶＤＣ設定値＋パスｂ１のＶＤＣ設定値＋パスｃ１のＶＤＣ設定値を、予備回線４７のパスｄ１のＶＤＣ設定値として求める。【０１０９】
上記のメッシュ構成のネットワークにおいても、トランスポンダ２４は、各トランスポンダ１２、１５、２３から、それぞれのパスａ１、ｂ１、ｃ１の分散補償値を取得することで、予備回線４７の好適なＶＤＣ設定値を予め算出しておくことができる。これにより、予備回線４７に切り替えて信号を疎通させるまでの復旧時間を短縮することができる。【０１１０】
図１８はリニア構成のネットワークの一例を示す図である。図１８の例では、現用回線４１と予備回線４４が同じ物理回線に収容されているときに、トランスポンダ２３の現用回線４１に対するＶＤＣ設定値から、同じ光回線に収容されている予備回線４４の好適なＶＤＣ設定値を算出することができる。トランスポンダ２４は、トランスポンダ２３から現用回線４１に対するＶＤＣ設定値を取得し、その取得した値に基づいて予備回線４４に対するＶＤＣ設定値を設定することができる。【０１１１】
図１９は、リニア構成のネットワークの他の例を示す図である。図１９の例は、波長分割多重装置１２が、トランスポンダ１１１とトランスポンダ１１２を有し、現用回線４２ａとその予備回線４４ａがトランスポンダ１１１に入力し、トランスポンダ１１２の現用回線４２ｂがトランスポンダ２４に入力している。現用回線４１とその予備回線４３は、トランスポンダ２１から途中の波長分割多重装置１２をスルーで通過して、トランスポンダ２３に入力している。【０１１２】
今、トランスポンダ２１とトランスポンダ２３を結ぶ予備回線４３が、現用回線４２ａ、４２ｂと同じ物理回線に収容されているとする。トランスポンダ２３は、トランスポンダ１１１の現用回線４２ａに対するＶＤＣ設定値と、トランスポンダ２４の現用回線４２ｂに対するＶＤＣ設定値を取得することで予備回線４３のＶＤＣ設定値を推測することができる。【０１１３】
上記のリニア構成のネットワークにおいても、トランスポンダ２３は、トランスポンダ１１１の現用回線４２ａに対するＶＤＣ設定値（または残留分散を示す値）と、トランスポンダ２４の現用回線４２ｂに対するＶＤＣ設定値を取得することで、予備回線４３の好適なＶＤＣ設定値を予め算出することができる。これにより、回線障害が発生したときに、予備回線４３に切り替えて短時間で信号を疎通させることができるので、障害の復旧時間を短縮できる。【０１１４】
メッシュ構成、あるいはリニア構成のネットワークにおいて、各トランスポンダが、ＶＤＣ設定値等を取得する方法は、上述した第１〜第８の実施の形態の内の何れの方法でも良い。【０１１５】
本発明は上述した実施の形態に限らず、例えば、以下のような構成でも良い。
（１）トランスポンダは実施の形態に示した回路構成に限らず、他のものでも良い。トランスポンダの個数は２個に限らず、任意の個数で良い。
（２）トランスポンダが他のトランスポンダのＶＤＣ設定値を取得する機能はハードウェアに限らず、ソフトウェアにより実現しても良い。
【図１】
2009081449.tif 000003
【図２】
2009081449.tif 000004
【図３】
2009081449.tif 000005
【図４】
2009081449.tif 000006
【図５】
2009081449.tif 000007
【図６】
2009081449.tif 000008
【図７】
2009081449.tif 000009
【図８】
2009081449.tif 000010
【図９】
2009081449.tif 000011
【図１０】
2009081449.tif 000012
【図１１】
2009081449.tif 000013
【図１２】
2009081449.tif 000014
【図１３】
2009081449.tif 000015
【図１４】
2009081449.tif 000016
【図１５】
2009081449.tif 000017
【図１６】
2009081449.tif 000018
【図１７】
2009081449.tif 000019
【図１８】
2009081449.tif 000020
【図１９】
2009081449.tif 000021
【図２０】
2009081449.tif 000022
【手続補正書】
【提出日】平成22年3月10日(2010.3.10)
【手続補正１】
【補正対象書類名】明細書
【補正対象項目名】０００８
【補正方法】変更
【補正の内容】
【０００８】
特許文献１には、複数の光伝送ルートの最適分散補償量を予めメモリに記憶しておき、ルート変更検出手段により光伝送ルートの変更が検出されると、メモリに記憶されている変更後のルートの最適分散補償量に応じて可変分散補償器の分散補償量を制御することが記載されている。
特許文献１：日本、特開２００７−９６４９９号公報
【国際調査報告】
2009081449.tif 000023
2009081449.tif 000024